(57)【特許請求の範囲】
【請求項１】
燃料を高圧化して吐出する高圧燃料ポンプと、
前記高圧燃料ポンプからの高圧燃料をエンジンの燃焼室に直接供給する燃料噴射弁と、を備え、
エンジンの始動時に圧縮行程にて燃料噴射を行うエンジンの燃料供給装置において、
圧縮行程での燃料噴射タイミングになる前の所定のタイミングになったとき、前記燃料噴射タイミングで前記燃料噴射弁に作用する燃料圧力の推定値を前もって算出する燃料圧力推定値算出手段と、
エンジンの始動時に前記燃料噴射タイミングでの燃料圧力の推定値と所定の噴射許可燃料圧力との比較により、燃料圧力の推定値が噴射許可燃料圧力未満である間は燃料噴射を禁止し、燃料圧力の推定値が噴射許可燃料圧力以上になったときに圧縮行程噴射を許可する燃料噴射禁止・圧縮行程噴射許可判定手段とを備え、
前記燃料圧力推定値算出手段は、エンジンの運転条件に応じて前記高圧燃料ポンプでの燃料漏れ量を算出する手段を有し、
前記燃料漏れ量を算出する手段は、エンジン回転数と、エンジンの冷却水温度と、燃料漏れ量との関係を示すマップを備え、前記エンジン回転数が高いほど、前記燃料漏れ量を小さく算出するとともに、前記エンジンの冷却水温度が低いほど、前記燃料漏れ量を小さく算出し、
前記燃料漏れ量により補正して、前記燃料噴射タイミングでの燃料圧力の推定値を算出することを特徴とするエンジンの燃料供給装置。
【請求項２】
ポンププランジャの往復動によりポンプ室の容積を変化させ、ポンププランジャが下降する行程にて前記ポンプ室に燃料を吸入し、ポンププランジャが上昇する行程にて前記ポンプ室の燃料を高圧化して吐出する高圧燃料ポンプと、
前記高圧燃料ポンプからの高圧燃料をエンジンの燃焼室に直接供給する燃料噴射弁と、を備え、
エンジンの始動時に圧縮行程にて燃料噴射を行うエンジンの燃料供給装置において、
前記ポンププランジャが上昇する行程中に圧縮行程での燃料噴射タイミングが存在する気筒について、その気筒の燃料噴射タイミングになる前の所定のタイミングになったとき、その気筒の燃料噴射タイミングで前記燃料噴射弁に作用する燃料圧力の推定値を前もって算出する燃料圧力推定値算出手段と、
エンジンの始動時に前記気筒の燃料噴射タイミングでの燃料圧力の推定値と所定の噴射許可燃料圧力との比較により、燃料圧力の推定値が噴射許可燃料圧力未満である間は前記気筒の燃料噴射を禁止し、燃料圧力の推定値が噴射許可燃料圧力以上になったときに前記気筒の圧縮行程噴射を許可する燃料噴射禁止・圧縮行程噴射許可判定手段とを備え、
前記燃料圧力推定値算出手段は、エンジンの運転条件に応じて前記高圧燃料ポンプでの燃料漏れ量を算出する手段を有し、前記燃料漏れ量を算出する手段は、エンジン回転数と、エンジンの冷却水温度と、燃料漏れ量との関係を示すマップを備え、前記エンジン回転数が高いほど、前記燃料漏れ量を小さく算出するとともに、前記エンジンの冷却水温度が低いほど、前記燃料漏れ量を小さく算出し、前記燃料漏れ量により補正して、前記燃料噴射タイミングでの燃料圧力の推定値を算出することを特徴とするエンジンの燃料供給装置。
【請求項３】
前記所定のタイミングから前記燃料噴射タイミングまでの燃料圧力の上昇分を算出し、この算出値と前記燃料漏れ量による補正値とに基づいて前記燃料噴射タイミングでの燃料圧力の推定値を算出することを特徴とする請求項１記載のエンジンの燃料供給装置。
【請求項４】
前記燃料噴射タイミングでの燃料圧力の推定値は、前記所定のタイミングで前記燃料噴射弁に実際に作用している燃料圧力と、前記燃料圧力の上昇分とを足し合せた値から、前記高圧燃料ポンプでの燃料漏れによる燃料圧力の低下分を差し引いて補正した値であることを特徴とする請求項３記載のエンジンの燃料供給装置。
【請求項５】
前記気筒の燃料噴射タイミングにある前の所定のタイミングから前記気筒の燃料噴射タイミングまでの燃料圧力の上昇分を算出し、この算出値と前記燃料漏れ量による補正値とに基づいて前記燃料噴射タイミングでの燃料圧力の推定値を算出することを特徴とする請求項２記載のエンジンの燃料供給装置。
【請求項６】
前記気筒の燃料噴射タイミングでの燃料圧力の推定値は、前記気筒の燃料噴射タイミングにある前の所定のタイミングで前記気筒の燃料噴射弁に実際に作用している燃料圧力と、前記気筒の燃料噴射タイミングまでの燃料圧力の上昇分とを足し合せた値から、前記高圧燃料ポンプでの燃料漏れによる燃料圧力の低下分を差し引いて補正した値であることを特徴とする請求項５記載のエンジンの燃料供給装置。
【発明の詳細な説明】
【技術分野】
【０００１】
本発明は、エンジンの燃料供給装置に関し、特に圧縮行程にてエンジンの燃焼室に燃料を直接噴射してエンジンを始動するものに関する。
【背景技術】
【０００２】
特許文献１に記載のエンジンの燃料供給装置は、燃料噴射タイミングになる前の所定のタイミング（噴射時期計算タイミング）になったとき、燃料噴射タイミングでの燃料噴射弁に作用する燃料圧力の推定値を前もって算出し、エンジンの始動時に燃料噴射タイミングでの燃料圧力の推定値と所定の噴射許可燃料圧力との比較により、燃料圧力の推定値が噴射許可燃料圧力未満である間は燃料噴射を禁止し、燃料圧力の推定値が噴射許可燃料圧力以上になったときに圧縮行程噴射を許可している。ここで、噴射許可燃料圧力は、成層燃焼に適した燃料圧力に設定されている。
【特許文献１】特開２００６−３０７８００号公報
【発明の開示】
【発明が解決しようとする課題】
【０００３】
しかしながら、特許文献１では、燃料噴射タイミングでの燃料圧力の推定値を算出する際に高圧燃料ポンプでの燃料の漏れ量を考慮していないので、燃料噴射タイミングでの燃料圧力の推定値と実際値とに差異が生じてしまう。
【０００４】
このため、特許文献１では、燃料噴射タイミングでの燃料圧力の推定値が噴射許可燃料圧力以上であり、かつ、燃料噴射タイミングでの燃料圧力の実際値が噴射許可燃料圧力未満である場合においても、圧縮行程噴射が許可される場合がある。
【０００５】
この場合、燃料噴射タイミングでの燃料圧力の実際値が成層燃焼に適した燃料圧力に達する前に圧縮行程噴射が行われるので、燃料の霧化不良により良好な成層燃焼が行われず、排気エミッションが悪化すると共に始動性が悪化するという問題がある。
【０００６】
本発明は、このような問題を鑑み、燃料噴射タイミングの前に噴射時期計算タイミングを設けている場合において、燃料噴射タイミングでの燃料圧力を精度よく推定することを目的とする。
【課題を解決するための手段】
【０００７】
そのため本発明では、燃料を高圧化して吐出する高圧燃料ポンプと、高圧燃料ポンプからの高圧燃料をエンジンの燃焼室に直接供給する燃料噴射弁とを備え、エンジンの始動時に圧縮行程にて燃料噴射を行う場合に、圧縮行程での燃料噴射タイミングになる前の所定のタイミングになったとき、燃料噴射タイミングで燃料噴射弁に作用する燃料圧力の推定値を前もって算出する燃料圧力推定値算出手段と、エンジンの始動時に燃料噴射タイミングでの燃料圧力の推定値と所定の噴射許可燃料圧力との比較により、燃料圧力の推定値が噴射許可燃料圧力未満である間は燃料噴射を禁止し、燃料圧力の推定値が噴射許可燃料圧力以上になったときに圧縮行程噴射を許可する燃料噴射禁止・圧縮行程噴射許可判定手段とを備える。更に、燃料圧力推定値算出手段は、エンジンの運転条件に応じて高圧燃料ポンプでの燃料漏れ量を算出する手段を有し、燃料漏れ量を算出する手段は、エンジン回転数と、エンジンの冷却水温度と、燃料漏れ量との関係を示すマップを備え、エンジン回転数が高いほど、燃料漏れ量を小さく算出するとともに、エンジンの冷却水温度が低いほど、燃料漏れ量を小さく算出し、この燃料漏れ量により補正して、燃料噴射タイミングでの燃料圧力の推定値を算出する。
【０００８】
また本発明では、ポンププランジャの往復動によりポンプ室の容積を変化させ、ポンププランジャが下降する行程にてポンプ室に燃料を吸入し、ポンププランジャが上昇する行程にてポンプ室の燃料を高圧化して吐出する高圧燃料ポンプと、高圧燃料ポンプからの高圧燃料をエンジンの燃焼室に直接供給する燃料噴射弁とを備え、エンジンの始動時に圧縮行程にて燃料噴射を行う場合に、ポンププランジャが上昇する行程中に圧縮行程での燃料噴射タイミングが存在する気筒について、その気筒の燃料噴射タイミングになる前の所定のタイミングになったとき、その気筒の燃料噴射タイミングで前記燃料噴射弁に作用する燃料圧力の推定値を前もって算出する燃料圧力推定値算出手段と、エンジンの始動時に前記気筒の燃料噴射タイミングでの燃料圧力の推定値と所定の噴射許可燃料圧力との比較により、燃料圧力の推定値が噴射許可燃料圧力未満である間は前記気筒の燃料噴射を禁止し、燃料圧力の推定値が噴射許可燃料圧力以上になったときに前記気筒の圧縮行程噴射を許可する燃料噴射禁止・圧縮行程噴射許可判定手段とを備える。更に、燃料圧力推定値算出手段は、エンジンの運転条件に応じて高圧燃料ポンプでの燃料漏れ量を算出する手段を有し、燃料漏れ量を算出する手段は、エンジン回転数と、エンジンの冷却水温度と、燃料漏れ量との関係を示すマップを備え、エンジン回転数が高いほど、燃料漏れ量を小さく算出するとともに、エンジンの冷却水温度が低いほど、燃料漏れ量を小さく算出し、この燃料漏れ量により補正して、燃料噴射タイミングでの燃料圧力の推定値を算出する。
【発明の効果】
【０００９】
本発明によれば、燃料噴射タイミングになる前の所定のタイミング（噴射時期計算タイミング）にて、高圧燃料ポンプでの燃料漏れ量に基づいて燃料噴射タイミングでの燃料圧力の推定値を算出することにより、燃料噴射タイミングでの燃料圧力の推定値と実際値とのズレを抑制することができるので、確実に噴射許可燃料圧力以上の燃料圧力にて圧縮行程噴射を行うことができる。これにより、エンジン始動時に安定した成層燃焼を実現することができるので、排気エミッションの悪化を抑制することができる。また、燃料圧力のロバスト性が向上するので、排気エミッションのばらつきを抑制することができる。
【発明を実施するための最良の形態】
【００１０】
以下に本発明の実施の形態を図面に基づいて説明する。
図１は、本発明の一実施形態を示すエンジンの燃料供給装置の概略構成図、図２は高圧燃料ポンプの吸入・吐出動作を示す図である。
【００１１】
図１において、エンジンの燃料供給装置は、燃料タンク１と、低圧燃料ポンプ（フィードポンプ）２と、高圧燃料ポンプ３と、コモンレール（フュエルギャラリー）４と、燃料噴射弁５Ａ〜５Ｄと、を主に備える。
【００１２】
低圧燃料ポンプ２は電動モータ６により駆動され、燃料タンク１内の燃料を燃料供給通路７へと圧送する。低圧燃料ポンプ２の上流側、下流側にはそれぞれ燃料フィルタ８が設けられている。また、低圧燃料ポンプ２の吐出圧力を所定圧力に規制するため、燃料供給通路７より分岐して燃料タンク１に戻るリターン通路９に低圧プレッシャレギュレータ１０が設けられている。
【００１３】
低圧燃料ポンプ２からの吐出燃料は、燃料供給通路７を介して、高圧燃料ポンプ３に供給される。燃料供給通路７には燃料圧力の脈動を吸収するためのダンパ１１が設けられている。
【００１４】
高圧燃料ポンプ３は、主にプランジャポンプ１２により構成されている。プランジャポンプ１２は、カム１３駆動によるプランジャ１２ａの往復動により高圧室（ポンプ室）１２ｂの容積を変化させ、プランジャ１２ａの下降行程（吸入行程）にて吸入チェックバルブ１４を介して高圧室１２ｂに燃料を吸入し、プランジャ１２ａの上昇行程（吐出行程）にて吐出チェックバルブ１５を介して高圧室１２ｂ内の燃料を吐出する。尚、ポンプ駆動カム１３は吸気バルブ用カムシャフトに連結されている。
【００１５】
高圧燃料ポンプ３は、更に、制御ソレノイド１６を含んで構成されている。制御ソレノイド１６は、吸入チェックバルブ１４に対し設けられ、通電により発生する電磁力により、高圧室１２ｂ内の圧力にかかわらず、吸入チェックバルブ１４を開弁状態に保持することができる。
【００１６】
また、高圧燃料ポンプ３には、プランジャポンプ１２のシリンダ１２ｃとプランジャ１２ａの摺動部などからの漏れ燃料を回収して燃料タンク１に戻す漏れ燃料通路１７が接続している。
【００１７】
次に、高圧燃料ポンプ３の動作について図２を用いて説明する。
図２は高圧燃料ポンプ３の吸入・吐出動作（及びソレノイドの通電開始時期）を示している。
【００１８】
プランジャ１２ａが最高リフト位置（時刻ｔ１）から下降する吸入行程においては、高圧室１２ｂ内の負圧により、吸入チェックバルブ１４が開き、高圧室１２ｂ内に燃料が吸入される。
【００１９】
その後、プランジャ１２ａが最低リフト位置（時刻ｔ２）に達すると、ソレノイドＯＮ信号を立ち上げ、制御ソレノイド１６に通電する。
プランジャ１２ａが最低リフト位置（時刻ｔ２）に達した後、上昇して、スピル行程に入る。このスピル行程では、制御ソレノイド１６により吸入チェックバルブ１４が開弁状態に保持されているため、プランジャ１２ａの上昇により高圧室１２ｂ内の燃料は吸入側へ逆流し、その結果、高圧室１２ｂ内の圧力は上昇せず、吐出チェックバルブ１５は閉弁状態に保持されたままで、吐出動作はなされない。
【００２０】
その後、プランジャ１２ａのリフト上昇中の任意の時期（ｔ３）にソレノイドＯＮ信号を終了させて、制御ソレノイド１６への通電を終了させ、実質的な吐出行程に入る。この吐出行程では、制御ソレノイド１６への通電が終了しているので、吸入チェックバルブ１４が閉弁状態である。このため、プランジャ１２ａの上昇によって高圧室１２ｂ内の圧力が上昇し、高圧室１２ｂ内の燃料が吐出チェックバルブ１５を介して吐出する。この吐出燃料は、プランジャ１２ａが最高リフト位置（時刻ｔ４）に達するまでの間、図１に示すオリフィス１８を介してコモンレール４に供給される。
【００２１】
従って、制御ソレノイド１６への通電終了による吸入チェックバルブ１４の閉弁時期、詳しくは、吐出行程における吸入チェックバルブ１４の閉弁期間に対応した量の燃料が高圧燃料ポンプ３から吐出され、コモンレール４に供給される。
【００２２】
図１に戻り、コモンレール４の後端には安全弁１９を備えている。実際のコモンレール燃料圧力が許容圧力を超えるときには、この安全弁１９が開いてコモンレール４内の高圧燃料の一部を燃料タンク１に戻す。
【００２３】
コモンレール４に蓄えられた高圧燃料は各気筒の燃料噴射弁に分配される。図１は４気筒エンジンの場合を示しており、４つの燃料噴射弁５Ａ、５Ｂ、５Ｃ、５Ｄにコモンレール４に蓄えられた高圧燃料が作用している。
【００２４】
各気筒の点火タイミングに従い、所定のタイミングで燃料噴射弁５Ａ〜５Ｄを開くと、その開かれた燃料噴射弁を有する気筒の燃焼室に燃料が供給される。また、所定量の燃料が燃料噴射弁より消失することで、コモンレール燃料圧力が低下する。
【００２５】
このため、エンジンコントロールユニット（ＥＣＵ）２０では、エンジン負荷とエンジン回転数とに応じたコモンレール４の目標燃料圧力をマップとして予め持っており、燃料圧力センサ２１により検出される実際のコモンレール燃料圧力が、そのときのエンジン負荷とエンジン回転数とに応じた目標燃料圧力と一致するように、制御ソレノイド１６を介して高圧燃料ポンプ３の吐出量を制御する。例えば、実際のコモンレール燃料圧力が目標燃料圧力より低いときには制御ソレノイド１６が吐出行程における吸入チェックバルブ１４の閉弁期間を長くして高圧燃料ポンプ３の吐出量を増やし実際のコモンレール燃料圧力を上昇させて目標燃料圧力に近づける。一方、実際のコモンレール燃料圧力が目標燃料圧力より高いときには制御ソレノイド１６が吐出行程における吸入チェックバルブ１４の閉弁期間を短くして高圧燃料ポンプ３の吐出量を減らし実際のコモンレール燃料圧力を下降させて目標燃料圧力に近づける。
【００２６】
エンジン負荷とエンジン回転数とが定まれば１気筒、１サイクル当たり要求燃料量が一義的に定まり、その１気筒、１サイクル当たり要求燃料量とコモンレール燃料圧力が定まれば、燃料噴射弁の開弁パルス幅が定まる。従って、ＥＣＵ２０では、エンジン負荷とエンジン回転数とに応じた１気筒、１サイクル当たり要求燃料量のマップを持っており、そのときのエンジン負荷とエンジン回転数とから１気筒、１サイクル当たり要求燃料量のマップを検索して、１気筒、１サイクル当たり要求燃料量を求め、この１気筒、１サイクル当たり要求燃料量とコモンレール燃料圧力とから燃料噴射弁に与える開弁パルス幅を算出し、所定の噴射タイミングとなったとき、この開弁パルス幅で燃料噴射弁を開いて各気筒に燃料を供給する。
【００２７】
本実施形態では、上記の燃料噴射弁５Ａ〜５Ｄを各気筒の燃焼室に臨ませて設けており、ＥＣＵ２０により、エンジンの始動時（クランキング時）にて気筒毎に圧縮行程噴射を行って成層燃焼を行わせるように制御を行う。
【００２８】
次に、高圧燃料ポンプでの燃料漏れを想定していない従来技術（例えば特許文献１記載の技術）を用いた場合の高圧燃料ポンプでの燃料漏れによるコモンレール燃料圧力の影響について、図３及び図４に基づいて説明する。
【００２９】
図３は従来技術を用いた場合のエンジン始動時のコモンレール燃料圧力の変化波形図、図４はプランジャリフトと噴射タイミング、ＲＥＦ信号の立ち上がりタイミングとの関係を説明するための波形図である。ここにおいて、図３に示すＴ１〜Ｔ８は、図４に示すＴ１〜Ｔ８に対応している。また、図３及び図４に示すＮｏ．１〜４は気筒番号に対応している。また、図３の噴射タイミングにおいて、実線は燃料噴射が行われる噴射タイミングを示す一方、点線は燃料噴射が行われない噴射タイミングを示している。
【００３０】
図３の最上段は、スタータスイッチをＯＮにし、エンジンのクランキングを開始した時期（図３のＴ０）からのコモンレール燃料圧力の変化を示している。
このコモンレール燃料圧力において、実線はコモンレール燃料圧力の実際値を示し、点線は後述する噴射時期計算タイミング（Ｔ５）にて従来技術を用いて算出したコモンレール燃料圧力の推定値を示している。
【００３１】
また、コモンレール燃料圧力が上昇している区間は、図２のプランジャリフトの上昇行程（吐出行程）に対応している。
従来技術では、噴射時期計算タイミングとして各気筒のＲＥＦ信号の立ち上がりタイミング（図３のＴ１、Ｔ３、Ｔ５、Ｔ７）を採用し、この噴射時期計算タイミングで圧縮行程噴射を許可するか否かを判定する。ここで、ＲＥＦ信号は公知のものであり、各気筒についてのクランク角基準位置の信号である。例えば、後述するように４気筒エンジンについて各気筒の圧縮上死点前１１０°で立ち上がるＲＥＦ信号がある。
【００３２】
噴射時期計算タイミングでの圧縮行程噴射の禁止／許可判定は、具体的には、以下のように行う。
まず、ポンププランジャの上昇行程中（吐出行程中）に燃料噴射タイミングが存在する気筒について、噴射時期計算タイミングになったときに、上記気筒の燃料噴射タイミングにてコモンレール燃料圧力の推定値を前もって算出する。この燃料圧力の推定値は、噴射時期計算タイミングでのコモンレール燃料圧力の実際値と、高圧燃料ポンプでの燃料漏れを想定せずに算出された噴射時期計算タイミングから噴射タイミングまでのコモンレール燃料圧力上昇分ΔＰとの和により算出される。
【００３３】
次に、上記気筒の燃料噴射タイミングでの燃料圧力の推定値と噴射許可燃料圧力（図３参照）とを比較する。
そして、燃料圧力の推定値が噴射許可燃料圧力未満である間は上記気筒の燃料噴射を禁止し、燃料圧力の推定値が噴射許可燃料圧力以上になったときに上記気筒の圧縮行程噴射を許可する。
【００３４】
ここで、高圧燃料ポンプでの燃料漏れを想定せずに算出されたコモンレール燃料圧力上昇分ΔＰについて図４を参照して説明する。
図４は横軸をクランク角とした高圧燃料ポンプ３のプランジャリフトを示している。吸気バルブ用カムシャフトはクランクシャフト２回転に対して１回転すること、かつポンプ駆動カム１３は１回転の間に２回リフトするので、結果的に、プランジャリフトの１周期はクランク角で３６０°になる。いま、簡単のため、１番気筒の圧縮上死点位置でプランジャリフトがゼロになるようにポンプ駆動カム１３が吸気バルブ用カムシャフトに連結されているとし、１番気筒のＲＥＦ信号が圧縮上死点よりクランク角で１１０°前のＴ３のタイミングで立ち上がるものとして考える。４気筒エンジンの点火順序を１−３−４−２とすれば、１番気筒の１つ前の気筒は２番気筒であり、この２番気筒のＲＥＦ信号は１番気筒のＲＥＦ信号よりもさらに１８０°前のＴ１のタイミングで立ち上がる。
【００３５】
一方、１番気筒の噴射タイミングは、１番気筒のＲＥＦ信号の立ち上がり（Ｔ３）よりも遅れたＴ４のクランク角で、また２番気筒の噴射タイミングは、２番気筒のＲＥＦ信号の立ち上がり（Ｔ１）よりも遅れたＴ２のクランク角であるとする。
【００３６】
３番気筒、４番気筒については、プランジャリフトが３６０°進角側にずれた位置において、３番気筒、４番気筒のＲＥＦ信号が２番気筒、１番気筒のＲＥＦ信号の位置にくるし、３番気筒、４番気筒の噴射タイミングが２番気筒、１番気筒のＲＥＦ信号の立ち上がりよりも遅れたＴ２、Ｔ４のクランク角にくるので、これら３番気筒、４番気筒についてのＲＥＦ信号、噴射タイミングを図４の括弧書きで示している。
【００３７】
この場合に、ＲＥＦ信号の立ち上がりタイミングと噴射タイミングとがプランジャリフトの上昇側にある気筒、つまり２番気筒（または３番気筒）では、２番気筒のＲＥＦ信号の立ち上がりタイミング（Ｔ１）でのコモンレール燃料圧力よりも、２番気筒の噴射タイミング（Ｔ２）でのコモンレール燃料圧力のほうがそのタイミング差の分だけ上昇する。このコモンレール燃料圧力上昇分ΔＰをＲＥＦ信号の立ち上がりタイミングで推定するのである。
【００３８】
上述した従来技術を図３に示す３番気筒に適用して、噴射時期計算タイミングでの圧縮行程噴射の禁止／許可判定を行うと、以下のような問題がある。
図３に示す３番気筒では、プランジャリフトの上昇行程中（吐出行程中）に噴射時期計算タイミング（Ｔ５）及び噴射タイミング（Ｔ６）があるので、Ｔ５の噴射時期計算タイミングにて、Ｔ６でのコモンレール燃料圧力の推定値と噴射許可燃料圧力との比較により噴射タイミング（Ｔ５）での圧縮行程噴射を許可するか否かを判定する。
【００３９】
このＴ５での判定において、Ｔ６でのコモンレール燃料圧力の推定値は、噴射時期計算タイミング（Ｔ５）でのコモンレール燃料圧力の実際値（判定時燃圧）と、高圧燃料ポンプでの燃料漏れを想定せずに算出されたコモンレール燃料圧力上昇分ΔＰとの和により算出される。
【００４０】
この算出の結果、Ｔ６でのコモンレール燃料圧力の推定値が噴射許可燃料圧力を上回っているので、噴射時期計算タイミング（Ｔ５）にて圧縮行程噴射が許可される。
ところが、噴射タイミング（Ｔ６）でのコモンレール燃料圧力の実際値（噴射時燃圧Ｐｆ）は、噴射許可燃料圧力を下回る場合がある。これは、高圧燃料ポンプでの燃料漏れにより、噴射タイミング（Ｔ６）でのコモンレール燃料圧力が低下するためである。
【００４１】
このため、噴射タイミング（Ｔ６）でのコモンレール燃料圧力の実際値が成層燃焼に適した燃料圧力に達する前に圧縮行程噴射が行われる可能性があり、安定した成層燃焼を行うことができないという問題がある。
【００４２】
そこで本発明では、高圧燃料ポンプでの燃料漏れを考慮したコモンレール燃料圧力の推定値を算出することにより、コモンレール燃料圧力の実際値が成層燃焼に適した燃料圧力に達する前に圧縮行程噴射が行われるのを抑制する。
【００４３】
次に、本実施形態におけるエンジン始動時のコモンレール燃料圧力の変化について、図５を用いて説明する。
図５は本実施形態におけるエンジン始動時のコモンレール燃料圧力の変化波形図である。
【００４４】
図３にて示した従来技術との差異について説明する。
図５に示す本実施形態において、噴射時期計算タイミングでの圧縮行程噴射の禁止／許可判定は、以下のように行う。
【００４５】
まず、ポンププランジャの上昇行程中（吐出行程中）に燃料噴射タイミングが存在する気筒について、噴射時期計算タイミングになったときに、上記気筒の燃料噴射タイミングにてコモンレール燃料圧力の推定値を前もって算出する。この燃料圧力の推定値は、噴射時期計算タイミングでのコモンレール燃料圧力の実際値と、コモンレール燃料圧力上昇分ΔＰ（図４参照）との和から、高圧燃料ポンプでの燃料漏れによる燃料圧力低下分Δｐｌを差し引く補正をすることにより算出される。
【００４６】
次に、上記気筒の燃料噴射タイミングでの燃料圧力の推定値と噴射許可燃料圧力（図５参照）とを比較する。
そして、燃料圧力の推定値が噴射許可燃料圧力未満である間は上記気筒の燃料噴射を禁止し、燃料圧力の推定値が噴射許可燃料圧力以上になったときに上記気筒の圧縮行程噴射を許可する。
【００４７】
この圧縮行程噴射の禁止／許可判定を、図５に示す３番気筒（噴射タイミングＴ６）と、２番気筒（噴射タイミングＴ１０）とに適用した場合について説明する。
３番気筒（噴射タイミングＴ６）では、プランジャリフトの上昇行程中（吐出行程中）に噴射時期計算タイミング（Ｔ５）及び噴射タイミング（Ｔ６）があるので、Ｔ５の噴射時期計算タイミングにて、Ｔ６でのコモンレール燃料圧力の推定値と噴射許可燃料圧力との比較により噴射タイミング（Ｔ５）での圧縮行程噴射を許可するか否かを判定する。
【００４８】
このＴ５での判定において、Ｔ６でのコモンレール燃料圧力の推定値は、噴射時期計算タイミング（Ｔ５）でのコモンレール燃料圧力の実際値（判定時燃圧）と、コモンレール燃料圧力上昇分ΔＰとの和から、高圧燃料ポンプでの燃料漏れによる燃料圧力低下分Δｐｌを差し引く補正をすることにより算出されるので、上述した従来技術を適用した場合と異なり、Ｔ６でのコモンレール燃料圧力の推定値が噴射許可燃料圧力を下回る。従って、噴射時期計算タイミング（Ｔ５）にて圧縮行程噴射は許可されない（禁止される）。
【００４９】
一方、２番気筒（噴射タイミングＴ１０）では、プランジャリフトの上昇行程中（吐出行程中）に噴射時期計算タイミング（Ｔ９）及び噴射タイミング（Ｔ１０）があるので、Ｔ９の噴射時期計算タイミングにて、Ｔ１０でのコモンレール燃料圧力の推定値と噴射許可燃料圧力との比較により噴射タイミング（Ｔ１０）での圧縮行程噴射を許可するか否かを判定する。
【００５０】
このＴ９での判定において、Ｔ１０でのコモンレール燃料圧力の推定値は、噴射時期計算タイミング（Ｔ９）でのコモンレール燃料圧力の実際値（判定時燃圧）と、コモンレール燃料圧力上昇分ΔＰとの和から、高圧燃料ポンプでの燃料漏れによる燃料圧力低下分Δｐｌを差し引く補正をすることにより算出される。このＴ１０でのコモンレール燃料圧力の推定値は噴射許可燃料圧力を上回るので、噴射時期計算タイミング（Ｔ９）にて圧縮行程噴射が許可される。
【００５１】
次に、ＥＣＵ２０により実行される燃料噴射制御について、図６〜図９に基づいて説明する。
図６は本実施形態における燃料噴射制御のフローチャート、図７は本実施形態における燃料圧力の推定値の算出フローチャート、図８はエンジン回転数と、燃料漏れ量ΔＬ（燃料漏れによる燃料圧力低下分Δｐｌ）との関係を示す図、図９はエンジンの冷却水温度と、燃料漏れ量ΔＬ（燃料漏れによる燃料圧力低下分Δｐｌ）との関係を示す図である。
【００５２】
ＥＣＵ２０では、ステップＳ１にて、エンジンの始動時であるかどうかの判定を行う。具体的には、スタータスイッチからの信号がＯＮであるときにエンジンの始動時（クランキング時）であると判定する。エンジンの始動時ではない場合は、ステップＳ８に進み、通常運転時の燃料噴射制御を行う。この燃料噴射制御では、例えば、エンジン回転数とエンジン負荷とをパラメータとし、大きなエンジン出力の要求されない低負荷側では圧縮行程噴射により成層燃焼を行うことで燃費を向上させる一方、大きなエンジン出力の要求される高負荷側では、吸気行程噴射により均質燃焼を行うことで要求出力を確保する。
【００５３】
ステップＳ１にてエンジンの始動時であると判定された場合は、ステップＳ２に進み、エンジン始動からの経過時間Ｔと所定時間Ｔｓとを比較し、経過時間Ｔが所定時間Ｔｓ未満であるか否かの判定を行う。ここで、経過時間Ｔは、スタータスイッチからの信号がＯＮになった時期を開始時期として、ＥＣＵ２０に予め備えられたタイマにより計時される。また、所定時間Ｔｓは、エンジン始動を成層燃焼で行うか均質燃焼で行うかの判定を行うための閾値である。経過時間Ｔが所定時間Ｔｓ以上の場合はステップＳ９に進み、始動性確保のために、吸気行程噴射により均質燃焼で始動する。
【００５４】
ステップＳ２にて経過時間Ｔが所定時間Ｔｓ未満である場合には、ステップＳ３に進み、燃料圧力センサ２１により検出される実際のコモンレール燃料圧力Ｐｒが噴射許可燃料圧力Ｐｓ未満であるか否かの判定を行う。ここで、噴射許可燃料圧力Ｐｓは、圧縮行程噴射を許可するコモンレール圧力であり、具体的には、３ＭＰａ程度の値を設定しておく。実際のコモンレール燃料圧力Ｐｒが噴射許可燃料圧力Ｐｓ以上である場合は、ステップＳ６に進み、次回噴射タイミングでの燃料噴射を許可し、ステップＳ７にて圧縮行程噴射を実行する。
【００５５】
ステップＳ３にて燃料圧力センサ２１により検出される実際のコモンレール燃料圧力Ｐｒが噴射許可燃料圧力Ｐｓ未満である場合は、ステップＳ４に進み、図７に示すフローにより、コモンレール圧力の推定値Ｐｅｓｔを算出する。
【００５６】
ここで、コモンレール圧力の推定値Ｐｅｓｔの算出について、図７に示すフローに基づいて説明する。
図７のステップＳ１１では、今回のＲＥＦ信号の立ち上がりタイミング（噴射時期計算タイミング）が２番気筒又は第３気筒のものであるか否かの判定を行う。今回のＲＥＦ信号の立ち上がりタイミングが２番気筒又は３番気筒のものである場合には、現在のタイミングである噴射時期計算タイミングから噴射タイミングまでにコモンレール燃料圧力が上昇すると判定し、ステップＳ１２に進んで現在のタイミングより噴射タイミングまでに昇圧し得るコモンレール燃料圧力上昇分ΔＰを算出する。このコモンレール圧力上昇分ΔＰは、プランジャ１２ａのプランジャリフト量をポンプ駆動カム１３のカムプロフィールから算出し、このプランジャリフト量に基づき、予め記憶させたマップを用いて算出する。この後、ステップＳ１３に進む。
【００５７】
一方、ステップＳ１１にて、今回のＲＥＦ信号の立ち上がりタイミングが２番気筒又は第３気筒のものでない場合、即ち１番気筒又は４番気筒のＲＥＦ信号の立ち上がりタイミングである場合には、現在のタイミングより噴射タイミングまでにコモンレール燃料圧力が上昇することはないと判定し、ステップＳ２２に進んでコモンレール燃料圧力上昇分ΔＰ＝０とした後、ステップＳ１３に進む。
【００５８】
ステップＳ１３では、高圧燃料ポンプ３での燃料漏れによるコモンレール燃料圧力低下分Δｐｌを算出する。ここで、燃料圧力低下分Δｐｌの算出には、図８及び図９を用いる。
【００５９】
図８はエンジン回転数と、燃料漏れ量ΔＬ（これに対応する燃料圧力低下分Δｐｌ）との関係を示しており、図９はエンジンの冷却水温度と、燃料漏れ量ΔＬ（これに対応する燃料圧力低下分Δｐｌ）との関係を示している。尚、本実施形態において、図８及び図９は、高圧燃料ポンプ３の劣化による燃料漏れ量ΔＬ（これに対応する燃料圧力低下分Δｐｌ）を予め盛り込んでいる。
【００６０】
図８において、エンジン回転数が高くなるほど、燃料漏れ量ΔＬ（これに対応する燃料圧力低下分Δｐｌ）は小さくなる。これは、エンジン回転数が高くなるほど、高圧燃料ポンプ３の吸込側での負圧が強化されると共に、吐出側での燃料の慣性力が大きくなるからである。
【００６１】
また、図９において、エンジンの冷却水温度が高くなるほど、燃料漏れ量ΔＬ（これに対応する燃料圧力低下分Δｐｌ）は大きくなる。これは、エンジンの冷却水温度が高くなるほど、燃料の温度が高くなり、燃料の粘度が低くなるからである。
【００６２】
尚、燃料漏れ量ΔＬ（これに対応する燃料圧力低下分Δｐｌ）の算出方法として、上述の他に、エンジン回転数と、エンジンの冷却水温度と、燃料漏れ量ΔＬ（これに対応する燃料圧力低下分Δｐｌ）との関係を示すマップを予め作成し、このマップを用いてエンジン回転数とエンジンの冷却水温度との両方のパラメータに基づいて燃料漏れ量ΔＬ（これに対応する燃料圧力低下分Δｐｌ）を算出するようにしてもよい。
【００６３】
図７のステップＳ１３にて高圧燃料ポンプ３での燃料漏れによるコモンレール燃料圧力低下分Δｐｌを算出した後、ステップＳ１４に進み、以下の式により、コモンレール燃料圧力の推定値Ｐｅｓｔを算出する。
【００６４】
Ｐｅｓｔ＝Ｐｒ＋ΔＰ−Δｐｌ
Ｐｅｓｔ：コモンレール燃料圧力の推定値
Ｐｒ：コモンレール燃料圧力の実際値
ΔＰ：コモンレール燃料圧力上昇分
Δｐｌ：燃料漏れによるコモンレール燃料圧力低下分
この式において、コモンレール燃料圧力の実際値Ｐｒは、今回のＲＥＦ信号の立ち上がりタイミング（噴射時期計算タイミング）におけるコモンレール燃料圧力の実際値である。
【００６５】
ステップＳ１４にてコモンレール燃料圧力の推定値Ｐｅｓｔを算出した後、図６のステップＳ５に進む。
図６のステップＳ５では、コモンレール燃料圧力の推定値Ｐｅｓｔが噴射許可燃料圧力Ｐｓ以上か否かの判定を行う。コモンレール燃料圧力の推定値Ｐｅｓｔが噴射許可燃料圧力Ｐｓ未満の場合は、ステップＳ２に戻る。
【００６６】
一方、コモンレール燃料圧力の推定値Ｐｅｓｔが噴射許可燃料圧力Ｐｓ以上の場合は、ステップＳ６に進み、次回噴射タイミングでの燃料噴射を許可し、ステップＳ７にて圧縮行程噴射を実行する。
【００６７】
本実施形態によれば、圧縮行程での燃料噴射タイミング（Ｔ２、Ｔ４、Ｔ６、Ｔ８、Ｔ１０、Ｔ１２）になる前の所定のタイミング（噴射時期計算タイミングＴ１、Ｔ３、Ｔ５、Ｔ７、Ｔ９、Ｔ１１）になったとき、燃料噴射タイミング（Ｔ２、Ｔ４、Ｔ６、Ｔ８、Ｔ１０、Ｔ１２）で燃料噴射弁５Ａ〜５Ｄに作用する燃料圧力の推定値（コモンレール燃料圧力の推定値Ｐｅｓｔ）を前もって算出する（ステップＳ４）。また、エンジンの始動時に燃料噴射タイミング（Ｔ２、Ｔ４、Ｔ６、Ｔ８、Ｔ１０、Ｔ１２）での燃料圧力の推定値Ｐｅｓｔと所定の噴射許可燃料圧力（噴射許可燃料圧力Ｐｓ）との比較により、燃料圧力の推定値Ｐｅｓｔが噴射許可燃料圧力Ｐｓ未満である間は燃料噴射を禁止し、燃料圧力の推定値Ｐｅｓｔが噴射許可燃料圧力Ｐｓ以上になったときに圧縮行程噴射を許可する（ステップＳ５）。更に、エンジンの運転条件に応じて高圧燃料ポンプ３での燃料漏れ量ΔＬ（これに対応する高圧燃料ポンプ３での燃料漏れによる燃料圧力低下分Δｐｌ）を算出する手段を有し、この燃料漏れ量ΔＬ（これに対応する高圧燃料ポンプ３での燃料漏れによる燃料圧力低下分Δｐｌ）により補正して、燃料噴射タイミング（Ｔ２、Ｔ４、Ｔ６、Ｔ８、Ｔ１０、Ｔ１２）での燃料圧力の推定値Ｐｅｓｔを算出する（ステップＳ１３、Ｓ１４）。これにより、燃料噴射タイミングでの燃料圧力の推定値と実際値とのズレを抑制することができるので、確実に噴射許可燃料圧力以上の燃料圧力にて圧縮行程噴射を行うことができる。
【００６８】
また本実施形態によれば、高圧燃料ポンプ３のポンププランジャ１２ａが上昇する行程中に圧縮行程での燃料噴射タイミングが存在する気筒（２番気筒又は３番気筒）について、その気筒（２番気筒又は３番気筒）の燃料噴射タイミング（Ｔ２、Ｔ６、Ｔ１０）になる前の所定のタイミング（噴射時期計算タイミングＴ１、Ｔ５、Ｔ９）になったとき、その気筒（２番気筒又は３番気筒）の燃料噴射タイミング（Ｔ２、Ｔ６、Ｔ１０）で燃料噴射弁５Ａ〜５Ｄに作用する燃料圧力の推定値（コモンレール燃料圧力の推定値Ｐｅｓｔ）を前もって算出する（ステップＳ４）。また、エンジンの始動時に上記気筒（２番気筒又は３番気筒）の燃料噴射タイミング（Ｔ２、Ｔ６、Ｔ１０）での燃料圧力の推定値Ｐｅｓｔと所定の噴射許可燃料圧力（噴射許可燃料圧力Ｐｓ）との比較により、燃料圧力の推定値Ｐｅｓｔが噴射許可燃料圧力Ｐｓ未満である間は上記気筒（２番気筒又は３番気筒）の燃料噴射を禁止し、燃料圧力の推定値Ｐｅｓｔが噴射許可燃料圧力Ｐｓ以上になったときに上記気筒（２番気筒又は３番気筒）の圧縮行程噴射を許可する（ステップＳ５）。更に、エンジンの運転条件に応じて高圧燃料ポンプ３での燃料漏れ量ΔＬ（これに対応する高圧燃料ポンプ３での燃料漏れによる燃料圧力低下分Δｐｌ）を算出する手段を有し、この燃料漏れ量ΔＬ（これに対応する高圧燃料ポンプ３での燃料漏れによる燃料圧力低下分Δｐｌ）により補正して、燃料噴射タイミング（Ｔ２、Ｔ６、Ｔ１０）での燃料圧力の推定値Ｐｅｓｔを算出する（ステップＳ１３、Ｓ１４）。これにより、燃料噴射タイミングでの燃料圧力の推定値と実際値とのズレが生じやすい高圧燃料ポンプのポンププランジャの上昇行程（吐出行程）にて確実に噴射許可燃料圧力以上の燃料圧力にて圧縮行程噴射を行うことができる。
【００６９】
また本実施形態によれば、所定のタイミング（噴射時期計算タイミングＴ１、Ｔ３、Ｔ５、Ｔ７、Ｔ９、Ｔ１１）から燃料噴射タイミング（Ｔ２、Ｔ４、Ｔ６、Ｔ８、Ｔ１０、Ｔ１２）までの燃料圧力の上昇分ΔＰを算出し（ステップＳ１２、Ｓ２２）、この算出値と燃料漏れ量ΔＬによる補正値（高圧燃料ポンプ３での燃料漏れによる燃料圧力低下分Δｐｌ）とに基づいて燃料噴射タイミングでの燃料圧力の推定値Ｐｅｓｔを算出する（ステップＳ１４）。これにより、各噴射タイミングごとに最適な燃料圧力の推定値Ｐｅｓｔを算出することができる。
【００７０】
また本実施形態によれば、燃料噴射タイミングでの燃料圧力の推定値Ｐｅｓｔは、所定のタイミング（噴射時期計算タイミングＴ１、Ｔ３、Ｔ５、Ｔ７、Ｔ９、Ｔ１１）で燃料噴射弁５Ａ〜５Ｄに作用する燃料圧力（コモンレール燃料圧力の実際値Ｐｒ）と、燃料圧力の上昇分ΔＰとを足し合せた値から、高圧燃料ポンプ３での燃料漏れによる燃料圧力の低下分Δｐｌを差し引いて補正した値であるので、簡易な計算式を用いて精度よく燃料圧力の推定値Ｐｅｓｔを算出することができる。
【００７１】
また本実施形態によれば、エンジン回転数に応じて燃料漏れ量ΔＬ（これに対応する燃料漏れによる燃料圧力低下分Δｐｌ）を算出することにより、エンジン回転数のばらつきによる燃料漏れ量ΔＬ（これに対応する燃料漏れによる燃料圧力低下分Δｐｌ）のばらつきを抑制することができる。これにより、燃料圧力のロバスト性が向上するので、排気エミッションのばらつきを抑制することができる。
【００７２】
また本実施形態によれば、エンジン回転数が高いほど、燃料漏れ量ΔＬ（これに対応する燃料漏れによる燃料圧力低下分Δｐｌ）を小さく算出するので、エンジン回転数が高い場合に良好な始動性を確保することができる。
【００７３】
また本実施形態によれば、エンジンの冷却水温度に応じて燃料漏れ量ΔＬ（これに対応する燃料漏れによる燃料圧力低下分Δｐｌ）を算出することにより、エンジンの冷却水温度のばらつきによる燃料漏れ量ΔＬ（これに対応する燃料漏れによる燃料圧力低下分Δｐｌ）のばらつきを抑制することができる。これにより、燃料圧力のロバスト性が向上するので、排気エミッションのばらつきを抑制することができる。
【００７４】
また本実施形態によれば、エンジンの冷却水温度が低いほど、燃料漏れ量ΔＬ（これに対応する燃料漏れによる燃料圧力低下分Δｐｌ）を小さく算出するので、エンジンの冷却水温度が低い場合に良好な始動性を確保することができる。
【００７５】
尚、本実施形態では、噴射時期計算タイミングをＲＥＦ信号の立ち上がりタイミングとする場合で説明したが、噴射時期計算タイミングをＲＥＦ信号の立ち下がりタイミングとする場合でもかまわない。更に、ＲＥＦ信号のタイミングに限定されるものでない。要は、噴射タイミングより時間的に前の所定のクランク角を噴射時期計算タイミングとして設けているものに対して、本発明の適用が可能である。
【００７６】
また、本実施形態では、吸気バルブ用カムシャフトにポンプ駆動カム１３を連結させ、このポンプ駆動カムにより高圧燃料ポンプを駆動する場合で説明したが、この構成に限定されるものでない。例えば、排気バルブ用カムシャフトにポンプ駆動カム１３を連結させてもかまわない。更に、ポンプ駆動カムはカムシャフト以外のシャフトにも設け得る。また、コモンレールを備えることも必須でない。
【図面の簡単な説明】
【００７７】
【図１】本発明の一実施形態を示すエンジンの燃料供給装置の概略構成図
【図２】高圧燃料ポンプの吸入・吐出動作を示す図
【図３】従来技術を用いた場合のエンジン始動時のコモンレール燃料圧力の変化波形図
【図４】プランジャリフトと噴射タイミング、ＲＥＦ信号の立ち上がりタイミングとの関係を説明するための波形図
【図５】本実施形態におけるエンジン始動時のコモンレール燃料圧力の変化波形図
【図６】本実施形態における燃料噴射制御のフローチャート
【図７】本実施形態における燃料圧力の推定値の算出フローチャート
【図８】エンジン回転数と、燃料漏れ量ΔＬ（燃料漏れによる燃料圧力低下分Δｐｌ）との関係を示す図
【図９】エンジンの冷却水温度と、燃料漏れ量ΔＬ（燃料漏れによる燃料圧力低下分Δｐｌ）との関係を示す図
【符号の説明】
【００７８】
１  燃料タンク
２  低圧燃料ポンプ（フィードポンプ）
３  高圧燃料ポンプ
４  コモンレール（フュエルギャラリー）
５Ａ〜５Ｄ  燃料噴射弁
６  電動モータ
７  燃料供給通路
８  燃料フィルタ
９  リターン通路
１０  低圧プレッシャレギュレータ
１１  ダンパ
１２  プランジャポンプ
１２ａ  プランジャ
１２ｂ  高圧室（ポンプ室）
１２ｃ  シリンダ
１３  ポンプ駆動カム
１４  吸入チェックバルブ
１５  吐出チェックバルブ
１６  制御ソレノイド
１７  漏れ燃料通路
１８  オリフィス
１９  安全弁
２０  エンジンコントロールユニット（ＥＣＵ）
２１  燃料圧力センサ
【図１】
0005217514.tif 000002
【図２】
0005217514.tif 000003
【図３】
0005217514.tif 000004
【図４】
0005217514.tif 000005
【図５】
0005217514.tif 000006
【図６】
0005217514.tif 000007
【図７】
0005217514.tif 000008
【図８】
0005217514.tif 000009
【図９】
0005217514.tif 000010